(57)【要約】　　　（修正有）【課題】ウェブの可能な案内に関しウェブ拡開装置の柔軟性を高めることである。【解決手段】ウェブストランド（Ｂｌ，Ｂｒ）は、逸らせ手段（５ｌ，６ｌ，５ｒ，６ｒ）に巻き付くことによって所定の拡開量（Ｘ）だけ互いに平行に拡開させる。左側の逸らせ手段（５ｌ，６ｌ）のうちの少なくとも一方と右側の逸らせ手段（５ｒ，６ｒ）のうちの少なくとも一方とが、拡開量を調整するためにそれぞれ調整経路によって調整可能に前記フレーム取り付く。調整経路により、第２の逸らせ手段（６ｌ，６ｒ）のうちの一方が第２の逸らせ手段（６ｌ，６ｒ）のうちの他方に対して可動かつ／又は第１の逸らせ手段のうちの一方が第１の逸らせ手段のうちの他方に対して可動。これにより、左側の逸らせ手段（５ｌ，６ｌ）の間のストランドの経路の長さが、右側の逸らせ手段（５ｒ，６ｒ）の間の長さと異なるようになっている。【選択図】図２
2004106516.tif 000002
【特許請求の範囲】
【請求項１】
ウェブ処理機械のための又はウェブ処理機械におけるウェブ拡開装置において、該拡開装置に、
フレームと、
ウェブを左側のウェブストランドと右側のウェブストランドとに長手方向に裁断するための裁断手段と、
前記左側のウェブストランドを逸らせるための第１の逸らせ手段と、
ウェブ搬送方向で前記第１の左側の逸らせ手段の後に配置された、前記左側のウェブストランドを逸らせるための第２の左側の逸らせ手段と、
前記第１の左側の逸らせ手段に向けられた、前記右側のウェブストランドを逸らせるための第１の右側の逸らせ手段と、
前記右側のウェブストランドのための第２の右側の逸らせ手段とを有し、
該第２の右側の逸らせ手段は、ウェブ搬送方向で前記第１の右側の逸らせ手段の後に配置されていてかつ前記第２の左側の逸らせ手段に向けられており、前記ウェブストランドが、前記逸らせ手段に巻き付くことによって所定の拡開量だけ互いに平行に拡開させられるようになっており、前記左側の逸らせ手段のうちの少なくとも一方と前記右側の逸らせ手段のうちの少なくとも一方とが、前記拡開量を調整するためにそれぞれ調整経路によって調整可能に前記フレームに取り付けられており、調整経路によって前記第２の逸らせ手段のうちの一方が前記第２の逸らせ手段のうちの他方に対して可動でありかつ／又は前記第１の逸らせ手段のうちの一方が前記第１の逸らせ手段のうちの他方に対して可動であり、これにより、前記左側の逸らせ手段の間のストランドの経路の長さが、前記右側の逸らせ手段の間のストランドの経路の長さと異なるようにすることを特徴とする、ウェブ処理機械のための又はウェブ処理機械におけるウェブ拡開装置。
【請求項２】
前記第１の逸らせ手段又は前記第２の逸らせ手段が前記フレームに強固に締め付けられていることを特徴とする、請求項１記載のウェブ拡開装置。
【請求項３】
前記可動に取り付けられた左側の逸らせ手段と前記可動に取り付けられた右側の逸らせ手段とが、第１の逸らせ手段の両方であるか、又は第２の逸らせ手段の両方であることを特徴とする、請求項１記載のウェブ拡開装置。
【請求項４】
前記可動に取り付けられた左側の逸らせ手段と前記可動に取り付けられた右側の逸らせ手段とが、調整経路に沿って、両逸らせ手段が相俟って矢印形状を形成するような共通のウェブストランド平面の中の複数の調整位置へ移動させられることができることを特徴とする、請求項１記載のウェブ拡開装置。
【請求項５】
前記可動に取り付けられた左側の逸らせ手段と前記可動に取り付けられた右側の逸らせ手段とが、矢印形状を保ちながら調整経路に沿って共に可動しうることを特徴とする、請求項１記載のウェブ拡開装置。
【請求項６】
前記拡開量を設定するために必要な調整された位置へ前記可動な逸らせ手段を移動させかつ調整された位置に前記可動な逸らせ手段を固定するための、前記可動な逸らせ手段のための制御手段及び駆動手段が設けられていることを特徴とする、請求項１記載のウェブ拡開装置。
【請求項７】
前記左側のウェブストランドのための左側の出口案内手段と、前記右側のウェブストランドのための右側の出口案内手段とが設けられており、前記左側の出口案内手段と前記右側の出口案内手段とのそれぞれが、ウェブ搬送方向で前記第２の逸らせ手段の下流に、相対的に可動に前記フレームに取り付けられており、前記出口案内手段と前記第２の可動に取り付けられた逸らせ手段とが、相俟って前記ウェブストランドのための平面を規定するような調整された位置へ移動させられることができることを特徴とする、請求項１記載のウェブ拡開装置。
【請求項８】
前記左側の出口案内手段と前記第２の左側の逸らせ手段とが、一緒に移動することができるように取り付けられており、前記右側の出口案内手段と前記第２の右側の逸らせ手段とが、同様に一緒に移動することができるように取り付けられていることを特徴とする、請求項７記載のウェブ拡開装置。
【請求項９】
前記ウェブストランドを平行にずらすために及び前記ウェブストランドの他方をオフセットなしに前記拡開装置を通過させるために、前記可動に取り付けられた逸らせ手段が、前記左側の逸らせ手段のみが前記左側のウェブストランドによって巻き付かれるか又は前記右側の逸らせ手段のみが前記右側のウェブストランドによって巻き付かれるような調整された位置へ移動させられることができることを特徴とする、請求項１記載のウェブ拡開装置。
【請求項１０】
前記可動に取り付けられた逸らせ手段が、調整経路に亘って線形に案内されることを特徴とする、請求項１記載のウェブ拡開装置。
【請求項１１】
前記可動に取り付けられた逸らせ手段が、前記フレームの線形案内部上を走行する支持体を介して調整経路に亘って線形に案内されることを特徴とする、請求項１０記載のウェブ拡開装置。
【請求項１２】
前記裁断手段及び前記逸らせ手段が共に、前記ウェブに対して、ウェブ搬送方向に対して直角に可動に取り付けられていることを特徴とする、請求項１記載のウェブ拡開装置。
【請求項１３】
前記ウェブ拡開装置が、前記ウェブストランドの少なくとも１つのウェブ縁部制御の最終制御エレメントとして使用されることを特徴とする、請求項１記載のウェブ拡開装置。
【請求項１４】
ウェブ処理機械のウェブ輪転印刷機ウェブ拡開装置において、
該ウェブ拡開装置は、
フレームと、
ウェブを左側のウェブストランドと右側のウェブストランドに長手方向に裁断するための裁断装置と、
前記左側のウェブストランドを逸らせるための第１の左側の逸らせ装置と、
ウェブ搬送方向で前記第１の左側の逸らせ装置の下流に配置され、前記左側のウェブストランドを逸らせるための第２の左側の逸らせ装置と、
前記右側のウェブストランドを逸らせるための第１の右側の逸らせ装置と、
前記右側のウェブストランドのための第２の右側の逸らせ装置とを有し、
該第２の右側の逸らせ装置は、ウェブ搬送方向で前記第１の右側の逸らせ装置の下流に配置されており、前記ウェブストランドが、前記逸らせ装置に巻き付くことによって所定の拡開量だけ互いに平行に拡開させられるようになっており、前記左側の逸らせ装置のうちの少なくとも一方と前記右側の逸らせ装置のうちの少なくとも一方とが、前記拡開量を調整するためにそれぞれ調整経路によって調整可能に前記フレームに取り付けられており、前記第２の逸らせ装置のうちの一方が前記第２の逸らせ装置のうちの他方に対して可動でありかつ／又は前記第１の逸らせ装置のうちの一方が、調整経路によって前記第１の逸らせ装置のうちの他方に対して可動であり、これにより、前記左側の逸らせ装置の間のストランドの経路の長さが、前記右側の逸らせ装置の間のストランドの経路の長さと異なるようにすることを特徴とする、ウェブ処理機械のウェブ輪転印刷機ウェブ拡開装置。
【発明の詳細な説明】
【０００１】
【発明の属する技術分野】
本発明は、ウェブ処理機械のための又はウェブ処理機械におけるウェブ拡開装置に関し、このウェブ拡開装置において、処理される材料、例えばプラスチックフィルム、金属箔又は特に紙ウェブが連続的に搬送されその過程において処理される。処理機械は好適には新聞紙の大きな循環を印刷するための輪転印刷機であってよい。
【０００２】
【従来の技術】
ＤＥ１００２３１６９Ａ１には、２つの矢印形のターンバーを備えたウェブ拡開装置が記載されており、これらのターンバーは、ウェブ搬送方向で長さ方向裁断手段の下流に相前後して配置されていており、相対的に可動に機械フレームに取り付けられている。２つの矢印形のターンバーを相対的に調整することにより、長手方向に裁断されたウェブの２つのウェブストランドが、互いに対して平行にずらされ、その結果互いに離れるように拡開させられることができる。
拡開装置はコンパクトな構成を有する。２つのウェブストランドは、長手方向裁断部に対して対称的に平行に、すなわち互いに同じオフセット量だけずらされる。
【０００３】
【発明が解決しようとする課題】
本発明の課題は、ウェブの可能な案内に関してウェブ拡開装置の柔軟性を高めることである。
【０００４】
【課題を解決するための手段】
本発明は、ウェブ処理機械に配置されているか又はウェブ処理機械に配置されることを意図されたウェブ拡開装置に関する。ウェブ拡開装置は、ウェブ搬送方向に対して直角に、平行なウェブストランドの間に間隔を形成するか、又は既に形成されている距離を好適に増大させるために使用される。
ウェブ拡開装置は、機械に挿入されているか、又は好適にはウェブに作用する処理ユニットの前方において機械に配置されており、複数の処理機械が設けられている場合には、好適には、ウェブ搬送方向で見て第１の処理ユニットである処理ユニットの前方に配置されており、これにより、ウェブ搬送方向に対して直角に、１つ又は複数の処理ユニットに対するウェブストランドの位置を設定する。
ウェブ搬送方向は概して、以下では、裁断されていないウェブの長手方向として規定され、平行にずらされたウェブストランドの長手方向も同じ用語によって示される。
【０００５】
ウェブ拡開装置は、フレームと、ウェブを左側のウェブストランドと少なくとも１つの付加的な右側のウェブストランドとに長手方向に裁断するための裁断手段と、左側のウェブストランドのための少なくとも２つの左側の逸らせ手段と、右側のウェブストランドのための少なくとも２つの右側の逸らせ手段とを有している。逸らせ手段はそれぞれ、ウェブ搬送方向に対して斜めに向けられている。
製造時、例えば印刷物製造時には、左側の逸らせ手段は左側のウェブストランドによって巻き付かれ、右側の逸らせ手段は右側のウェブストランドによって巻き付かれ、すなわち逸らせ手段はそれぞれ、その逸らせ手段が関連しているウェブストランドのための逸らせ軸線を形成している。
逸らせ手段はそれぞれ特にターンバーの形式で形成されていてよい。逸らせ手段のうちの１つは、それぞれ１つの回転可能に取り付けられた逸らせローラによって形成されていてもよく、このローラはウェブを案内するためには有利であるが、ウェブ拡開装置の複雑さを増大させる。
【０００６】
少なくとも２つの左側の逸らせ手段は、ウェブ搬送方向で相前後して配置されている。したがって、これらの逸らせ手段は以下では第１の上流左側逸らせ手段と第２の下流の左側の逸らせ手段と呼ばれる。
これらの逸らせ手段は好適には左側のストランドの経路において直接に相前後して配置されている、すなわち、左側のストランドが巻き付く付加的な逸らせ手段は間に配置されていない。左側のウェブストランドに関して述べられたことは、右側のウェブストランドに関する同じ形式で、少なくとも２つの右側の逸らせ手段にも当てはまり、これらの右側の逸らせ手段は以下では第１の右側の逸らせ手段と第２の右側の逸らせ手段と呼ばれる。
また、注意すべきことは、逸らせ手段の配列に関して、第１の左側の逸らせ手段と第１の右側の逸らせ手段とが、ウェブの上面図で見ると互いに向かって向けられており、これらの逸らせ手段によって形成された逸らせ軸線は、上面図で見ると１８０゜未満の角度を形成している。
第２の左側の逸らせ手段と第２の右側の逸らせ手段とも、上面図で見ると互いに向かって向けられており、これらの逸らせ手段の逸らせ軸線も、上面図で見ると１８０゜未満の角度を形成している。
逸らせ手段又はフレームにおける逸らせ手段のうちの幾つかが、ウェブの平面又はウェブストランドの平面において角度調節の目的で逸らせ手段又は逸らせ手段の幾つかを旋回させるようにフレームに旋回可能に取り付けられている場合、互いに向けられた逸らせ手段が、１つの旋回位置において整列させられる場合も考えられ、その場合には問題となっている逸らせ手段によって拡開は行われない。
【０００７】
逸らせ手段は、左側のウェブストランドと右側のウェブストランドとが、左側の逸らせ手段に巻き付いた左側のウェブストランドと、右側の逸らせ手段に巻き付いた右側のウェブストランドとによって互いから平行に拡開させられるように、相対的に成形及び配置されている。互いに向かって拡開すること、すなわち相対的に平行なオフセットも原理的には択一的に考えられる。逸らせ手段が、対応する旋回可能性を有するならば、互いから離れるように及び互いに向かって拡開することは同様に可能である。
ウェブストランドは、関連した第１の逸らせ手段に巻き付く前に、これらのウェブストランドの位置に関して平行にずれている。ウェブ搬送方向に対して直角方向で拡開されたウェブストランドの間の距離は、以下では拡開量と呼ばれる。　拡開量を調整するために、左側の逸らせ手段の少なくとも一方が、他方の左側の逸らせ手段に対して、調整経路によってフレームに可動に取り付けられており、右側の逸らせ手段の少なくとも一方が、他方の右側の逸らせ手段に対して、フレームにおける調整経路によって可動に取り付けられている。
これらの少なくとも２つの調整経路は、好適には互いに平行であり、さらに好適には等しくもある。オフセットの平行性は、左側のウェブストランドに作用する長さに亘って互いの中で同じ断面形状を有する左側の逸らせ手段と、右側のウェブストランドに作用する長さに亘って互いの中で同じ断面形状及びサイズを有する右側の逸らせ手段とによって、さらに、左側の逸らせ手段の逸らせ軸線と、右側の逸らせ手段の逸らせ軸線が、調整された位置において対で互いに平行であることによって、最も単純に保証されることができる。
【０００８】
本発明によれば、第１の逸らせ手段又は好適には第２の逸らせ手段は相対的に可動である。原理的には、第１の逸らせ手段も相対的に移動させられることができ、第２の逸らせ手段も相対的に移動させられることができる。
可動な逸らせ手段は好適には、可動なそらせ手段が、逸らせ手段のそれぞれ他方から独立して調整経路に沿って移動させられることができるように取り付けられている。本発明による調整可能性により、関連した逸らせ手段の間をウェブストランドが走行する経路長さは、相対的に変化させられることができる、すなわち、第１の左側の逸らせ手段と第２の左側の逸らせ手段との間を左側のウェブストランドが走行する経路は、第１の右側の逸らせ手段と第２の右側の逸らせ手段との間を右側のウェブストランドが走行する経路長さよりも、選択的に大きくても小さくてもよい。
もちろん、逸らせ手段は、個々の関連した逸らせ手段の間の２つのウェブストランドの経路長さが等しくなるような位置に調整されていてもよい。
【０００９】
したがって、２つのウェブストランドの平行なオフセットは、異なるように選択されることができる。ウェブストランドの一方は、他方が平行にオフセットされながらも、平行なオフセットなしにウェブ拡開装置を通過してもよい。特別の利点として、本発明は、他方のウェブストランドとは無関係に一方のウェブストランドの平行なオフセットを設定することができる。
【００１０】
したがって、本発明によるウェブ拡開装置は、少なくとも一方のウェブストランド、好適には両方のウェブストランドのためのウェブ縁部制御の最終的な制御エレメントを形成することができる。
【００１１】
調整可能性に関する限り、それぞれの逸らせ手段は、例えば個々に可動な形式でフレームに取り付けられていてよい。例えば、第１の左側の逸らせ手段と第２の右側の逸らせ手段とが可動に取り付けられておりかつ他の２つの逸らせ手段がフレームにおいて定置に締め付けられていることも考えられる。
製造公差を補償するための可能な調整可能性は、定置の締付けという用語が関する限り当分の間考慮から排除されるであろう。本発明における調整可能性の下で理解されることは、当該逸らせ手段が、このように選択的に行われる調整が維持されながらでさえも、依然として可動であるということである。
さらに、可動性は好適には、当該逸らせ手段が、新たなウェブの導入の後に、所望の調整された位置へ移動させられることができるようになっている。特に好適には、製造運転中にも調整経路に沿って移動させられることができる。これに対応して、拡開装置は、特に好適な実施形態において制御手段を有しており、この制御手段は、可動な逸らせ手段を駆動するための駆動手段を有しておりかつ、有利には制御又は調整手段内へ拡開されることができる。しかしながら、本発明は、原理的に、可動な逸らせ手段が手動で所望の調整位置へ移動させられてこれらの調整された位置に固定されるようなウェブ拡開装置にも関する。
【００１２】
逸らせ手段と長さ方向裁断手段とが線形に案内される形式でウェブ搬送方向に対して直角方向に可動であるならば、柔軟性がさらに一層増大される。逸らせ手段と長さ方向裁断手段とは好適にはフレームに一緒に取り付けられており、フレーム全体が、直線に沿って案内されながら、ウェブ搬送方向に対して直角方向で処理ユニット又は複数の処理ユニットに対して可動である。
【００１３】
最後に、製造運転中には、拡開装置において縦断ちされたウェブを処理することが絶対に必要なわけではなく、既にストランドの幅でロールに巻き付けられていることによりウェブはストランドの幅で導入されてもよい。
【００１４】
本発明の特徴となる様々な新規性の特徴が、この開示に添付されかつこの開示の一部を構成した請求項に特に指摘されている。本発明と、本発明の動作上の利点と、本発明の使用により達成される特定の課題とをさらによく理解するために、本発明の好適な実施形態が示されている添付の図面と詳細な説明が参照される。
【００１５】
【発明の実施の形態】
特に図面を参照すると、図１は、本発明によるウェブ拡開装置を有するウェブ輪転印刷機の構成部材を示している。印刷されるウェブＢの経路が、ロール交換機１からウェブ拡開装置を介して、印刷タワーとして設計された印刷ユニット９まで示されている。
ウェブＢを２つのウェブストランドＢｌ及びＢｒに長手方向に裁断するために使用される長さ方向裁断手段４と、形成されたウェブストランドＢｌ及びＢｒを平行に互いから離れるように拡開させるために使用される、逸らせ手段５及び６が設けられている。
拡開させられたウェブストランドＢｌ及びＢｒは、ウェブ搬送方向Ｆで印刷タワー９まで搬送され、印刷タワーにおいて両側に多色で印刷される。それぞれウェブストランドＢｌ及びＢｒに印刷する２つのブランケット胴から形成された２つの胴ブリッジと、関連した版胴とが、印刷タワー９の部材として示されている。印刷タワー９はもちろん、例えばウェブストランドＢｌ及びＢｒの両側に４色で印刷するために同じタイプの付加的な胴ブリッジを有していてもよい。印刷タワー９の後、ウェブストランドＢｌ及びＢｒは、それぞれ別々に、又は少なくとも１つの別のウェブストランドとともにフォーマ２０へ案内されるか、又はウェブストランドは一緒に共通のフォーマ２０へ案内され、フォーマにおいて長手方向に別々に折りたたまれるか、又はフォーマにおいて一緒に長手方向に折りたたまれる。フォーマ２０又は複数のフォーマの後、横裁断及び横折りのために、ウェブ搬送方向Ｆに折り機が配置されていてよいか、又は複数の折り機が配置されていてよい。
【００１６】
ロール交換機１から拡開装置内へ走入する未裁断のウェブＢは、入口案内手段３を介して長さ方向裁断手段４へ送られる。長さ方向裁断装置は、主として２つの裁断ローラから形成されており、これらの裁断ローラは、互いに接近方向及び離反方向へ調節することができ、これらの裁断ローラの間にウェブＢが供給される。
長さ方向裁断によってウェブストランドＢｌと右側のウェブストランドＢｒとが形成される。ウェブストランドＢｌ及びＢｒとは、第１の逸らせ手段５と、すぐその後に設けられた第２の逸らせ手段６と、出口案内手段７とに案内される。ウェブストランドは引き続き付加的な案内手段を介して印刷タワー９へ送られ、案内手段のうち出口案内手段７のすぐ後に設けられた案内手段８が図示されている。
長さ方向裁断手段４と第１の逸らせ手段５とは、相対的に固定された位置でフレームに取り付けられている。入口案内手段３は、フレーム２に回転可能に取り付けられた案内ローラである。第１の逸らせ手段５は回転不能である。
【００１７】
第２の逸らせ手段６は、出口案内手段７と共に、線形に案内される形式でフレーム２に回転可能に取り付けられている。マウントの線形案内経路１１は、フレーム２にしっかりと結合されている。第２の逸らせ手段６と出口案内手段７とは、線形案内部１１に沿って２つの終端位置の間を連続的に前後に可動である。
２つの終端位置のうちの一方が、図１に実線で示されており、他方が破線で示されている。制御手段１５は、制御手段１５又はより高いレベルの機械制御装置において入力することができるプリセット値に基づき駆動手段１２を制御し、これにより、第２の逸らせ手段６と出口案内手段７とは、調節経路に亘って所望の調節された位置を占める。
【００１８】
図２は、第１の状態におけるウェブ拡開装置を、ウェブの平面の上面図で示している。特に、第２の逸らせ手段６と出口案内手段８とは、中央において２つの対称的な半部に分割されていることがわかる。２つの半部は、回転可能に、それぞれ線形案内部１１において互いに独立して線形に案内されるように取り付けられており（図１）、線形案内部はフレームの固定された部位の一部である。
２つの半部の調節経路及び終端位置は同じである。２つの半部の移動は、制御手段１５によって駆動手段１２を介して制御され、選択的に調節もされる。したがって、２つの半部は、特に一緒に又はそれぞれ個々に又は互いに反対方向に、調節経路に沿って移動させられることができ、終端位置の間にあらゆる位置に固定されることができる。
【００１９】
中央の分割により、第２の左側の逸らせ手段６ｌと、第２の右側の逸らせ手段６ｒと、左側の出口案内手段７ｌと、右側の出口案内手段７ｒとが形成されている。第２の左側の逸らせ手段６ｌと、左側の出口案内手段７ｌとは、左側のウェブストランドＢｌに関連させられている、すなわち、左側のウェブストランドＢｌのみと接触する。第２の右側の逸らせ手段６ｒと、右側の出口案内手段７ｒとは、右側のウェブストランドＢｒと関連させられている、すなわち右側のウェブストランドＢｒのみと接触する。
これに対応して第１の逸らせ手段５の場合にも関連が存在する。しかしながら、第１の逸らせ手段５は、フレームの２つの対向した側２ｌ及び２ｒにおいてフレームに取り付けられている。第１の逸らせ手段５は、機能的に第１の左側の逸らせ手段５ｌと第１の右側の逸らせ手段５ｒとに分割されている。逸らせ手段５ｌ，５ｒ，６ｌ及び６ｒは同じ横断面を有している。逸らせ手段は、典型的な実施態様においては円形のバーとして設計されている。
【００２０】
到着するウェブＢの平面の上面図において、第１の逸らせ手段５ｌ及び５ｒと特にこれらの逸らせ手段によって形成された逸らせ軸線とは、矢印形状を形成しており、この矢印の先端はウェブ搬送方向Ｆを向いている。
第１の逸らせ手段５ｌ及び５ｒは、”矢印ヘッド”の領域において中央において互いにしっかりと結合されている。ヘッド自体は、ウェブＢを僅かに裂断させる危険性を回避するために丸み付けられている。長さ方向裁断手段４と、第１の逸らせ手段５ｌ及び５ｒによって形成されたヘッドとは、機械軸線Ｓ上に正確に位置している。左側のウェブストランドＢｌに関連した、拡開装置の部材の配列は、右側のウェブストランドＢｒに関連した部材の配列に対して対称的である。したがって、機械軸線Ｓは同時に拡開装置の対称軸をも形成している。
【００２１】
左側の逸らせ手段５ｌ及び６ｌは、左側のウェブストランドＢｌのための互いに平行な逸らせ軸線を形成している。右側の逸らせ手段５ｒ及び６ｒは、右側のウェブストランドＢｒのための互いに平行な逸らせ軸線を形成している。第２の逸らせ手段６ｌ及び６ｒの調節経路は、第２の逸らせ手段６ｌ及び６ｒのそれぞれの調節された位置において逸らせ軸線の平行が保たれるように延びている。
【００２２】
出口案内手段７ｌ及び７ｒは、以下のように第２の逸らせ手段６ｌ及び６ｒに関して配置されている。すなわち、巻付きの場合における第２の左側の逸らせ手段６ｌと左側の出口案内手段７ｌとによって規定されるウェブストランド平面と、巻付きの場合における第２の右側の逸らせ手段６ｒと右側の出口案内手段７ｒとによって規定されるウェブストランド平面の平面とが、これらの逸らせ手段に巻き付く場合に入口案内手段３と２つの第１の逸らせ手段５ｌ及び５ｒとによって予め設定されたウェブ平面に対して平行であるように、である。
出口案内手段７ｌ及び７ｒは、ウェブ搬送方向Ｆに対して直角に向けられた逸らせ軸線を形成している。第２の左側の逸らせ手段６ｌと左側の出口案内手段７ｌとは、一緒に左側の支持体１０ｌに取り付けられている。支持体１０ｌへの取り付けは、第２の左側の逸らせ手段６ｌと左側の出口案内手段７ｌとの、支持体１０ｌに対する逸らせ軸線が、公差補償調整のフレームワーク内のあらゆるレートにおいても調節可能であるようになっている。同じことが同様に、右側の支持体１０ｒへの第２の右側の逸らせ手段６ｒと右側の出口案内手段７ｒとの取り付けにも言える。
２つの支持体１０ｌ及び１０ｒは、それぞれのフレーム側部２ｌ及び２ｒに設けられた別個の線形案内部１１に沿って可動であり、左側の線形案内部１１は、右側の線形案内部１１に対して平行であり、ウェブ搬送方向Ｆに関して同じ高さに配置されている。同じことが、原則的に第２の逸らせ手段６ｌ及び６ｒにもいえるが、より単純な構成により、回転不能なバーとしての設計が好適である。
【００２３】
図２に示された拡開装置の状態において、第２の左側の逸らせ手段６ｌと第２の右側の逸らせ手段６ｒとはそれぞれ調節された位置を占めており、この調節された位置において、逸らせ手段は、ウェブストランドＢｌ及びＢｒのための、到着するウェブＢに対して平行な平面である１つの平面を規定している。
第２の逸らせ手段６ｌ及び６ｒは、このような位置において互いに矢印形状をも形成しているが、自由端部の間に狭い間隙を備えており、これらの自由端部は、これらの位置において互いに正確に重なり合っている。２つの逸らせ手段６ｌ及び６ｒによって形成された逸らせ軸線は、対応して交差している。出口案内手段７ｌ及び７ｒによって形成された逸らせ軸線は、これらの調節された位置において整列されている。
【００２４】
ウェブＢは、機械軸線Ｓに対して対称的に拡開装置へ走入する。ウェブのこの対称性及び共通の平面における第２の逸らせ手段６ｌ及び６ｒの配置により、２つのウェブストランドＢｌ及びＢｒは、機械軸線Ｓからそれぞれの側に同じオフセット分だけ、互いから外側に向かって平行に拡開させられる。
ウェブストランドＢｌ及びＢｒの間の間隙を示す拡開量Ｘが得られ、前記間隙は、ウェブ搬送方向Ｆに対して直角方向で計測される。左側の制限ラインと右側の制限ラインとの間の距離は”Ｍ”で示されており、この距離は、ウェブ平面において計測され、この距離までウェブストランドＢｌ及びＢｒは、平行に最大範囲まで外側において左へ及び外側において右へ拡開装置によってずらされることができ、十分なウェブ幅を占める。ウェブＢが対称的に走入しているような図示された拡開装置の状態において、左側のウェブストランドＢｌの左側の外縁部と、左側の制限ラインとの間にＸ／２の距離が存在する。右側の制限ラインと、右側のウェブストランドＢｒの右側縁部との間にも全く同じ距離が存在する。
ウェブ幅Ｚ、対称的な走入、対称的な裁断、拡開量Ｘへの対称的な拡開により、左側のウェブストランドＢｌは、このウェブストランドに関連した長手方向フォーマ２０へ中央で進入し、右側のウェブストランドＢｒも同様に、このウェブストランドに関連した長手方向フォーマ２１へ中央で進入する。
また、ウェブストランドＢｌ及びＢｒは、縦折り線Ｌｌ及びＬｒに対して両側において対称的に印刷される。ウェブストランドＢｌ及びＢｒの幅はＡで示されている。縦折り線Ｌｌ及びＬｒの両側における部分幅はＡ´で示されている。すなわちＺ＝２Ａ＝４Ａ´である。フォーマ２０及びフォーマ２１は１つのフォーマによって形成されていてもよい。
【００２５】
図３による典型的な実施形態において、ウェブＢは、機械軸線Ｓに対して非対称的に拡開装置へ走入する。ウェブＢの長手方向対称軸線はＳＢで示されている。ＳＢは機械軸線Ｓに対して側方へずらされている。ウェブＢは、長さ方向裁断手段４によって非対称的に、軸線Ｓ及びＳＢのオフセットに対応する、左側のウェブストランドＢｌと右側のウェブストランドＢｒとに裁断される。
【００２６】
第２の典型的な実施形態において、拡開装置は、第２の右側の逸らせ手段６ｒと右側の出口案内手段７ｒとを備えた右側の支持体１０ｒが右側のウェブストランドＢｒの経路に突入しておらずかつ、その結果右側のウェブストランドＢｒと巻付き接触していない状態にある。
したがって、右側のウェブストランドＢｒは、側方オフセットなしに拡開装置を通過させられる。第２の右側の逸らせ手段６ｒ及び右側の出口案内手段７ｒの調節された位置は、図１に破線で示された位置に相当する。しかしながら、第２の左側の逸らせ手段６ｌ及び左側の出口案内手段７ｌは、左側のウェブストランドＢｌの経路、例えば図１に実線で示された他方の終端位置へ移動させられる。ロール交換機１は、図３による典型的な実施形態においては、右側のウェブストランドＢｒが右側においてできるだけ外側へ搬送されるようになっている。ウェブストランドＢｒの右側の外縁部は、ウェブ拡開装置の右側の制限ラインと一致している。
拡開装置は、フォーマ２０及び２１に対して、最大幅Ｚ＝ＭのウェブＢのウェブストランドが平行なオフセットなしにフォーマ２０及び２１へ中央で走入するように、配置されている。図３による典型的な実施形態では、右側のウェブストランドＢｒは、外縁部が、ウェブストランドのための最も外側の縁部である右側の縁部に位置しながら、関連する長手方向フォーマ２１へ中央で搬送される。軸線Ｓ及びＳＢの二重オフセットによってより狭まっている左側のウェブストランドＢｌは、影響されないウェブ拡開装置を通過させられるならば、関連する長手方向フォーマ２０へ偏心的に送られるであろう。
しかしながら、第２の左側の逸らせ手段６ｌは、左側の出口案内手段７ｌと共に、第１の左側の逸らせ手段５ｌに対して、拡開量Ｘに相当する平行オフセットが行われた調整された位置に移動させられている。このオフセットは、左側のウェブストランドＢｌが、このウェブストランドに関連した長手方向フォーマ２０へ、中央で搬送されるような値を有している。
【００２７】
第２の典型的な実施形態に関して、ウェブＢは、図２に示された第１の例におけるウェブＢの幅とは異なる幅Ｚを有していると仮定される。左側の制限ラインからの、左側のウェブストランドＢｌの外縁部の距離Ｘは、拡開量Ｘに相当する。
ウェブストランドＢｌ及びＢｒの幅はＢ及びＣで示されている。折り線Ｌｌ及びＬｒの両側において、ウェブストランドＢｌ及びＢｒは同じ幅を有しており、これらの幅は、左側のウェブストランドＢｌについてはＢ´で、右側のウェブストランドＢｒについてはＣ´で示されている。なぜならば長手方向フォーマ２０及び２１へ中央において供給されるからである。
【００２８】
図４に示された第３の典型的な実施形態においては、ウェブＢはロール交換機１から機械軸線Ｓに関して対称的に供給される、すなわち機械軸線Ｓはウェブの中央長手方向軸線ＳＢと一致している。縦断ちは機械軸線Ｓ上で行われるので、形成される２つのウェブストランドＢｌ及びＢｒはそれぞれ同じ幅Ａを有しており、ウェブの幅Ｚは、図２による典型的な実施形態におけるものと同じであると仮定される。
ウェブ拡開装置は、図４による典型的な実施形態において、第２の典型的な実施形態と同じ状態にある。右側のウェブストランドＢｒは、対応して、影響されていないウェブ拡開装置を通過する。しかしながら、図３による典型的な実施形態とは異なり、右側のウェブストランドＢｒは、最も外側の右側の縁部から距離Ｙを有しているので、右側のウェブストランドＢｒは、ウェブ拡開装置によって機械軸線Ｓに対して平行オフセットＹ／２だけ外側において右へ平行にずらされていさえすれば、図２による第２の典型的な実施形態に示されているように、長手方向に中央で折りたたまれる。
その結果、右側のウェブストランドＢｒは、第３の典型的な実施形態のウェブストランド案内部において長手方向フォーマ２１へ偏心的に供給され、これに対応して長手方向で偏心的に折り畳まれる。対応してこのウェブストランドに印刷される印刷は非対称である。
長手方向折り線Ｌｒの一方の側における、右側のウェブストランドＢｒの部分幅は”Ａ´´で示されており、この部分幅とは異なる、長手方向折り線Ｌｒの他方の側における幅は、Ａ´´´で示されている。第２の左側の逸らせ手段６ｌは、左側のウェブストランドＢｌが中央で長手方向フォーマ２０に供給されるように、第１の左側の逸らせ手段５ｌに対して調整された位置を占めている。
左側のウェブストランドＢｌの平行オフセットＸは、拡開の量に相当する。長手方向折り線Ｌｌの両側における部分幅は、左側のウェブストランドＢｌにおいて等しく、対応してそれぞれＡ´で示されている。
【００２９】
新たなウェブの自由前端部の導入時、新たなウェブはロール交換機１から入口案内手段３を通り、間に間隙を有する、裁断手段４の裁断ローラの間に案内される。ウェブの前端部は、引き続き直線的に、すなわち、逸らせ手段５ｌ〜６ｒ及び出口案内手段７ｌ及び７ｒに巻き付けられずに付加的な出口案内手段８まで案内され、印刷タワー９の印刷ギャップ又は複数の印刷ギャップを通って、フォーマ２０及び２１へ引っ張られ、出口案内手段８と、選択的に付加的な案内手段とに巻き付けられる。前記のように、フォーマ２０及び２１は１つのフォーマであってよく、このフォーマにウェブストランドＢｌ及びＢｒが合流させられる。
第２の逸らせ手段６ｌ及び６ｒと出口案内手段７ｌ及び７ｒとは、図１に破線で示された下方端部位置を占めている。引き入れられているときには未だ裁断されていないウェブも同様に破線で示されており、Ｂ′で示されている。ウェブＢ′が１つ又は複数のフォーマに到達した後、ウェブは裁断手段４によってウェブストランドＢｌ及びＢｒに縦断ちされる。
第２の逸らせ手段６ｌ及び６ｒ又は第２の逸らせ手段６ｌ及び６ｒのうちの一方と、これらと共に出口案内手段７ｌ及び７ｒの関連した出口案内手段７ｌ又は７ｒは、調整位置へ移動させられ、ウェブストランドＢｌ及びＢｒが、ウェブの下流方向で出口案内手段７ｌ及び７ｒの最も近くに配置された出口案内手段８を通過したときに初めて所望の拡開量Ｘが設定される。
設定の枠組み内で連続的である、第２の逸らせ手段６ｌ及び／又は６ｒと出口案内手段７ｌ及び／又は７ｒとの変位運動により、拡開量Ｘが設定されるまでウェブストランドＢｌ及びＢｒは互いから離れるように連続的に拡開させられる。
【００３０】
ターンバーに関連して知られているように、摩擦を減じるために、逸らせ手段５ｌ〜６ｒはジャケット表面に空気吹き出し穴を有しており、これらの空気吹き出し穴から、巻き付けられたウェブストランドＢｌ及びＢｒに吹き出し空気が提供される。
吹き出し空気は、逸らせ手段５ｌ〜６ｒのうちの１つが、対応するウェブストランドＢｌ又はＢｒに対して接触させられるやいなやスイッチオンされる。もちろん、例えば第２の逸らせ手段６ｌ及び６ｒの調整された位置に応じて及び好適には制御手段１５の制御されながら、吹き出し空気は自動的にスイッチオンされる。
【００３１】
２つの線形ガイド１１の形状によって予設定された、第２の逸らせ手段６ｌ及び６ｒと出口案内手段７ｌ及び７ｒとの調整経路は、ウェブの平面に対して斜めに線形に、しかもウェブ平面に対して直角でかつウェブに沿って向けられた調整経路平面内に延びている。前記のように２つの調整経路は互いに平行である。
さらに、調整経路の整合は、第２の逸らせ手段６ｌ及び６ｒと出口案内手段７ｌ及び７ｒとが、拡開量Ｘを増大させるようにウェブ搬送方向Ｆとは反対に移動させられるようになっている。最大拡開の終端位置において、ウェブストランドＢｌ及びＢｒは、入口案内手段３と第１の逸らせ手段５ｌ及び５ｒとによって規定されるウェブ平面に対して直角に、第１の逸らせ手段５ｌ及び５ｒと第２の逸らせ手段６ｌ及び６ｒとの間を延びる。
前記のように、第２の逸らせ手段６ｌ及び６ｒと出口案内手段７ｌ及び７ｒとによって規定されるウェブストランド平面はこのウェブ平面に対して平行である。一方では入口案内手段４と第１の逸らせ手段５ｌ及び５ｒとの間のウェブ平面、他方では第２の逸らせ手段６ｌ及び６ｒと出口案内手段７ｌ及び７ｒとの間のウェブストランド平面とは、全ての調整された位置において平行である。
【００３２】
本発明の原理の用途を説明するために、発明の特定の態様が詳細に示されかつ説明されたが、本発明にこのような原理から逸脱することなく他の形式で実施されてよいことが理解されるであろう。
【図面の簡単な説明】
【図１】ウェブ輪転印刷機におけるウェブ拡開装置を示す概略図である。
【図２】ウェブの２つのストランドが対称的に互いから離れるように拡開させられかつ中央でそれぞれフォーマへ案内されている状態におけるウェブ拡開装置を示す平面図である。
【図３】ウェブのストランドが非対称的に互いから離れるように拡開させられかつ中央でそれぞれフォーマへ供給されている状態におけるウェブ拡開装置を示す平面図である。
【図４】ウェブのストランドが非対称的に互いから離れるように拡開させられかつウェブストランドの一方が中央でフォーマへ案内されていてかつウェブストランドの他方が偏心的にフォーマへ案内されている状態における拡開装置を示す平面図である。
【符号の説明】
１　ロール交換機、
２　フレーム、
３　入口案内手段、
４　長さ方向裁断手段、
５，６　逸らせ手段、
７　出口案内手段、
８　案内手段、
９　印刷タワー、
１１　線形案内経路、
１２　駆動手段、
１５　制御手段、
２０　フォーマ
【図１】
2004106516.tif 000003
【図２】
2004106516.tif 000004
【図３】
2004106516.tif 000005
【図４】
2004106516.tif 000006